(57)【要約】      （修正有）【課題】煙が室内に存在する場合においても、高いアイキャッチ効果を得ることのできる防煙壁を提供すること。【解決手段】防煙壁１は、光を略一方向に出射する光源部７を備えた光源装置３と、透光性を有する略板状であって上端面４が光源装置３の光源部７に臨む垂壁部５とを備え、光源装置３は、アルミ押し出し材で形成された長尺の筐体６と、筐体６内に取り付けられた光源部７と、図示はしない光源部７の点灯回路を備え、筐体６は、ネジ止め等の手段により天井面８に固定され、光源部７は、直管型の蛍光ランプであり、天井面８に平行に連なるように配設され、筐体６の床面９に対向する面には、光源部７から出射される光が通る開口部２が設けられている。【選択図】図１
2005152231.tif 000002
【特許請求の範囲】
【請求項１】
天井面から垂下するように設けられる防煙壁において、光を略一方向に出射する光源部を備えた光源装置を天井面側に設けるとともに、透光性を有する略板状であって上端面が光源装置の光源部に臨む垂壁部を設けたことを特徴とする防煙壁。
【請求項２】
垂壁部は、表示部を兼ね備えることを特徴とする請求項１記載の防煙壁。
【発明の詳細な説明】
【技術分野】
【０００１】
本発明は、天井面から垂下するように設けられる防煙壁に関するものである。
【背景技術】
【０００２】
防煙壁の従来技術としては、例えば特開２０００−０２４１２８号公報に示されるものがある。このものは、防煙壁が、映像を表示部するためのスクリーン部を有し、スクリーン部は映像投影機を用いて映像光を投射することにより映像が表示可能となるものである。これにより、平時においては、防煙壁の存在が目立たないため、室内の人間に対して精神的な圧迫を与えることを防止できる。また、スクリーン部に対し多くの注目を集めることができるため、高いアイキャッチ効果を得ることができる等の効果がある。
【特許文献１】特開２０００−０２４１２８号公報
【発明の開示】
【発明が解決しようとする課題】
【０００３】
上記従来例においては、上記のように、平時においては、防煙壁の存在が目立たないため、室内の人間に対して精神的な圧迫を与えることを防止できる。また、スクリーン部に対し多くの注目を集めることができるため、高いアイキャッチ効果を得ることができる等の効果がある。
【０００４】
しかしながら、上記従来例では、スクリーン部を備える防煙壁と映像投影機の間が離れているため、防煙壁が設置された空間内に煙が充満した場合に、映像投影機からの映像光が防煙壁に到達するまでに減衰し、スクリーン部の輝度が低下することが想定され、これによりアイキャッチ効果が低減することが懸念される。
【０００５】
本発明は、上記背景技術に鑑みてなしたもので、その課題は、煙が室内に存在する場合においても、高いアイキャッチ効果を得ることのできる防煙壁を提供することである。
【課題を解決するための手段】
【０００６】
請求項１に係る発明は、天井面から垂下するように設けられる防煙壁において、光を略一方向に出射する光源部を備えた光源装置を天井面側に設けるとともに、透光性を有する略板状であって上端面が光源装置の光源部に臨む垂壁部を設けたことを特徴とする。
【０００７】
請求項２に係る発明は、請求項１記載の発明において、垂壁部は、表示部を兼ね備えることを特徴とする。
【発明の効果】
【０００８】
本発明によれば、光源部からの光が直接垂壁部の上端面に入射する為、光源部から出力される光の減衰が少なく、高いアイキャッチ効果を得ることができる。
【発明を実施するための最良の形態】
【０００９】
本実施形態を図１〜図３に基づいて説明する。図１（ａ）は、本実施形態の防煙壁の正面図であり、図１（ｂ）は、側面図である。図２（ａ）は、本実施形態の別例１の防煙壁の正面図であり、図２（ｂ）は、その側面図である。図３（ａ）は、本実施形態の別例２の防煙壁の正面図であり、図３（ｂ）は、その側面図である。
【００１０】
防煙壁は火災等の際に発生する煙の流れを抑止することを目的として、建築物の天井面から垂下されて設置されるもので、本実施形態の防煙壁１は、図１（ａ）、（ｂ）に示すように、光を略一方向に出射する光源部７を設けた光源装置３と、透光性を有する略板状であって上端面４が光源装置３の光源部７に臨む垂壁部５とを、備えている。
【００１１】
光源装置３は、アルミ押し出し材で形成された長尺の筐体６と、筐体６内に取り付けられた光源部７と、図示はしない光源部７の点灯回路を備えている。ここで、筐体６は、ネジ止め等の手段により天井面８に固定されている。光源部７は、直管型の蛍光ランプ及び断面U字形状であって垂壁部５の上端面４に向かって開口する反射板（図示はしない）とからなり、天井面８に平行に連なるように配設されている。筐体６の床面９に対向する面には、光源部７から出射される光が通る開口部２が設けられている。この開口部２には、開口幅と略等しい厚みを有して導光板として機能する垂壁部５が挿入、固定されている。垂壁部５は、例えばガラス板からなり、筐体６の長手方向の両面に一様な発光面１０を備え、天井面８から垂下する方向に、約５００ｍｍの長さを有している。また、垂壁部５の端面１１は、筐体６と同じくアルミ押し出し材で形成された断面略コの字形状のフレーム１２によって覆われている。
【００１２】
以上の構成において、光源部７が、図示しない点灯回路から電力の供給を受けて点灯、発光すると、光源部７の発光面は垂壁部５の上端面４に臨んで接している為、光源部７から出射される光は、導光板である垂壁部５の上端面４に直接入射する。そして垂壁部５の上端面４に入射した光は、垂壁部５の内部で反射を繰り返して垂壁部５の発光面１０から出射される。
【００１３】
以上のように、光源部７が垂壁部５の上端面４に臨んで接している為、光源部７からの光は、導光板である垂壁部５の上端面４に直接入射して、垂壁部５の発光面１０から出射される。これにより、煙が室内に存在する場合においても、光源部７が出力する光が効率よく入射、導光されて、人物１４に到達するため、高いアイキャッチ効果を得ることができる。
【００１４】
なお、本実施形態においては、垂壁部５の発光面１０を一様な面としたが、図２（ａ）に示すように発光面１０にカッティングシートや印刷等で出口を示す文字や矢印を表示する表示部１５を設けてもよい。このようにすることで、室内に煙が充満した状態となっても表示された文字が発光するため、高い誘導効果を得ることができる。
【００１５】
また、以上の実施形態においては、光源部７として直管型の蛍光ランプを用いたが、光源部７として複数色の発光ダイオードを用い、垂壁部５の上端面４に連なるように設置してもよい。発光ダイオードは、例えばＬＥＤチップが樹脂封止されたものを用いる。複数の発光ダイオードは、直並列に接続され、トランジスタ等のスイッチング素子により、発光ダイオードのそれぞれに電流を通電するように構成されている。
【００１６】
この構成において、垂壁部５の上端面４に沿って配設された複数の発光ダイオードが、スイッチング素子により順にスイッチングされて、通電されることにより、図３に示すよいうに光が床面９方向に流れるように発光する。これにより、誘導方向を容易に知らしめることができる。
【００１７】
なお、本実施形態においては、光源装置３の筐体６をネジ止め等の手段により固定したが、吊りパイプ等の手段によって天井面８に固定してもよい。また、点灯回路を筐体６内に設けたが、点灯回路を天井裏に設置してもよい。また、更にアイキャッチ効果を高める為に、垂壁部５の上端面４に設けた光源部７を点滅させるようにしてもよい。
【図面の簡単な説明】
【００１８】
【図１】図１（ａ）は、本実施形態の防煙壁の正面図であり、図１（ｂ）は、側面図である。
【図２】図２（ａ）は、本実施形態の別例１の防煙壁の正面図であり、図２（ｂ）は、その側面図である。
【図３】図３（ａ）は、本実施形態の別例２の防煙壁の正面図であり、図３（ｂ）は、その側面図である。
【符号の説明】
【００１９】
１    防煙壁
２    開口部
３    光源装置
４    上端面
５    垂壁部
６    筐体
７    光源部
８    天井面
９    床面
１０  発光面
１１  端面
１２  フレーム
１４  人物
１５  表示部
【図１】
2005152231.tif 000003
【図２】
2005152231.tif 000004
【図３】
2005152231.tif 000005